(57)【要約】【課題】患者データを管理する。【解決手段】患者を収容するスマートベッドは、１つまたは複数の監視装置に動作可能に接続することができるスマートベッドコンピュータを含む。スマートベッドコンピュータは、監視装置によって記録された任意の監視データを格納するように構成される。スマートベッドシステムは、スマートベッドコンピュータに結合されたサーバをも含む。サーバは、患者に関する任意の患者データを格納するように構成される。サーバは、スマートベッドコンピュータから、監視データを受け取り、その後、監視データを患者データの一部として格納するように構成される。患者データは、スマートベッドから直接にアクセスすることができるように、サーバからスマートベッドコンピュータに選択的に転送することができる。【選択図】図１
2010510832.tif 000002
【特許請求の範囲】
【請求項１】
患者を収容するように適合されたスマートベッドであって、１つまたは複数の監視装置に動作可能に接続することができ、前記監視装置によって記録された任意の監視データを格納するように構成されたスマートベッドコンピュータを含む、スマートベッドと、
前記スマートベッドコンピュータに結合されたサーバであって、前記患者に関する任意の患者データを格納するように構成され、前記スマートベッドコンピュータから前記監視データを受け取り、その後、前記監視データを前記患者データの一部として格納するように構成されたサーバとを含むスマートベッドシステムであって、
前記患者データに前記スマートベッドから直接アクセスすることができるように、前記患者データを前記サーバから前記スマートベッドコンピュータに選択的に転送することができる、スマートベッドシステム。
【請求項２】
前記サーバおよび／または前記スマートベッドコンピュータに動作可能に接続された緊急警告装置をさらに含む、請求項１記載のスマートベッドシステム。
【請求項３】
前記スマートベッドが、前記サーバに結合されたスマートベッドコンピュータをそれぞれ有する複数のスマートベッドを含む、請求項１記載のスマートベッドシステム。
【請求項４】
前記サーバおよび／または前記スマートベッドコンピュータ内に格納されたアルゴリズムをさらに含み、前記アルゴリズムが、選択可能なタイプのデータを自動的に収集するように構成される、請求項１記載のスマートベッドシステム。
【請求項５】
前記サーバおよび／または前記スマートベッドコンピュータ内に格納されたアルゴリズムをさらに含み、前記アルゴリズムが、データを自動的に評価するように構成される、請求項１記載のスマートベッドシステム。
【請求項６】
前記サーバおよび／または前記スマートベッドコンピュータ内に格納された自動サービスルーチンをさらに含む、請求項１記載のスマートベッドシステム。
【請求項７】
前記サーバおよび／または前記スマートベッドコンピュータ内に格納されたアルゴリズムをさらに含み、前記アルゴリズムが、患者ケアプランを評価するように構成される、請求項６記載のスマートベッドシステム。
【請求項８】
前記サーバおよび／または前記スマートベッドコンピュータ内に格納されたアルゴリズムをさらに含み、前記アルゴリズムが、患者ケアプランへのコンプライアンスを監視するように構成される、請求項６記載のスマートベッドシステム。
【請求項９】
複数の異なる患者に関する患者データを格納するように構成されたサーバと、
前記サーバにそれぞれ結合された対応する複数のスマートベッドコンピュータをそれぞれ含む、患者を収容するようにそれぞれ適合された複数のスマートベッドであって、前記患者データに前記複数のスマートベッドのそれぞれから直接アクセスすることができるように、前記患者データを前記サーバから前記複数のスマートベッドコンピュータのそれぞれに選択的に転送することができる、複数のスマートベッドと
を含むスマートベッドシステムであって、
遠隔に位置する１人または複数の看護者が複数の患者を集団的にまたは個々に治療することができるように、前記サーバおよび／または前記複数のスマートベッドコンピュータ内に格納された任意の患者データに遠隔からアクセス可能である、スマートベッドシステム。
【請求項１０】
前記サーバ、および／または前記複数のスマートベッドコンピュータの１つまたは複数に動作可能に接続された緊急警告装置をさらに含む、請求項９記載のスマートベッドシステム。
【請求項１１】
前記サーバ、および／または前記複数のスマートベッドコンピュータの１つまたは複数に格納されたアルゴリズムをさらに含み、前記アルゴリズムが、選択可能なタイプのデータを自動的に収集するように構成される、請求項９記載のスマートベッドシステム。
【請求項１２】
前記サーバ、および／または前記複数のスマートベッドコンピュータの１つまたは複数に格納されたアルゴリズムをさらに含み、前記アルゴリズムが、データを自動的に評価するように構成される、請求項９記載のスマートベッドシステム。
【請求項１３】
前記サーバ、および／または前記スマートベッドコンピュータ内に格納された自動サービスルーチンをさらに含む、請求項９記載のスマートベッドシステム。
【請求項１４】
前記サーバ、および／または前記複数のスマートベッドコンピュータの１つまたは複数に格納されたアルゴリズムをさらに含み、前記アルゴリズムが、患者ケアプランを評価するように構成される、請求項９記載のスマートベッドシステム。
【請求項１５】
前記サーバ、および／または前記複数のスマートベッドコンピュータの１つまたは複数に格納されたアルゴリズムをさらに含み、前記アルゴリズムが、患者ケアプランへのコンプライアンスを監視するように構成される、請求項９記載のスマートベッドシステム。
【請求項１６】
複数の異なる患者に関する患者データを格納するように構成されたサーバと、
前記サーバに結合されたスマートベッドコンピュータをそれぞれ含む、患者を収容するようにそれぞれ適合された複数のスマートベッドであって、前記患者データに前記複数のスマートベッドのそれぞれから直接アクセスすることができるように、前記患者データを前記サーバから前記複数のスマートベッドの前記スマートベッドコンピュータに選択的に転送することができる、複数のスマートベッドと、
前記サーバ、および／または前記複数のスマートベッドの前記スマートベッドコンピュータ内に格納されたアルゴリズムであって、患者ケアプランを評価し、前記患者ケアプランへのコンプライアンスを監視するように構成されたアルゴリズムとを含むスマートベッドシステムであって、
遠隔に位置する１人または複数の看護者が複数の患者を集団的にまたは個々に治療することができるように、前記サーバ、および／または前記複数のスマートベッドの前記スマートベッドコンピュータ内に格納された任意の患者データに遠隔からアクセス可能である、スマートベッドシステム。
【請求項１７】
前記サーバ、および／または前記複数のスマートベッドの前記スマートベッドコンピュータに動作可能に接続された緊急警告装置をさらに含む、請求項１６記載のスマートベッドシステム。
【請求項１８】
前記アルゴリズムが、選択可能なタイプのデータを自動的に収集するように構成される、請求項１６記載のスマートベッドシステム。
【請求項１９】
前記アルゴリズムが、データを自動的に評価するように構成される、請求項１６記載のスマートベッドシステム。
【請求項２０】
前記アルゴリズムが、自動サービスルーチンをさらに含む、請求項１６記載のスマートベッドシステム。
【発明の詳細な説明】
【技術分野】
【０００１】
本開示は、スマートベッドシステムに関する。
【背景技術】
【０００２】
医療記録、ケアプラン、チャート、人口動態統計など、患者データは一般に、病院内の中央コンピュータ内に格納される。患者を治療する病院職員は、適切な一連の措置を決定するために、患者を治療しまたは看護する前に中央コンピュータから患者データをダウンロードしなければならないことがある。患者を治療しまたは看護する前に中央コンピュータから患者データをダウンロードするプロセスは、特に多数の異なる患者に適用される場合には、非常に手間がかかることがある。
【０００３】
病院は、患者を監視し、結果として得られる患者データを収集するために様々な異なるシステムを実装することがある。こうした患者データを収集した後、データは一般に編纂され、またはプロット、グラフ、チャートなどの便利な形式にされ、次いで医師によって解析されまたは評価される。患者データを収集し、編纂し、解析するプロセスは一般に、手作業で実施されるかなりの数のステップまたは操作を含む。
【０００４】
１つの問題は、患者を治療しまたは看護する前に中央コンピュータから患者データをダウンロードするプロセスに関係する。問題は、このプロセスが、患者の治療が開始され得る前に物理的に中央コンピュータまで行き、患者データをダウンロードし、次いで患者へと戻る追加のステップを必要とするので非能率的であるということである。多数の患者に適用される場合、この非能率性は高まる。
【０００５】
別の問題は、従来の方法に従って患者データを収集し、編纂し、解析するプロセスに関係し、このプロセスは、手作業で実施されるかなりの数のステップまたは操作を含む。この問題は、手作業で実施されるこれらのステップが一般に、手間がかかり、連続的には実施することができず、人為的な誤りが生じやすいということである。従来の患者監視およびデータ解析方法に関する別の問題は、地理的に近いことの制約に関連する。より正確に述べると、患者を監視し、結果のデータを評価するには、一般に患者の近くにいなければならない。
【先行技術文献】
【特許文献】
【０００６】
【特許文献１】米国特許第２００２／０４４０５９号公報
【特許文献２】欧州特許第１６２３６６６号公報
【特許文献３】国際特許第２００４／０２８３４４号公報
【発明の概要】
【発明が解決しようとする課題】
【０００７】
上記で言及された欠点、短所および問題に本発明において対処し、それは、以下の明細を読み理解することによって理解される。
【課題を解決するための手段】
【０００８】
一実施形態では、スマートベッドシステムは、患者を収容するように適合されたスマートベッドを含む。スマートベッドは、１つまたは複数の監視装置に動作可能に接続することができるスマートベッドコンピュータを含む。スマートベッドコンピュータは、監視装置によって記録された任意の監視データを格納するように構成される。スマートベッドシステムは、スマートベッドコンピュータに結合されたサーバをも含む。サーバは、患者に関する任意の患者データを格納するように構成される。サーバは、スマートベッドコンピュータから、監視データを受け取り、その後、監視データを患者データの一部として格納するように構成される。患者データは、スマートベッドから直接にアクセスすることができるように、サーバからスマートベッドコンピュータに選択的に転送することができる。
【０００９】
別の実施形態では、スマートベッドシステムが、複数の異なる患者に関する患者データを格納するように構成されたサーバと、患者を収容するようにそれぞれ適合された複数のスマートベッドとを含む。複数のスマートベッドは、サーバにそれぞれ結合された対応する複数のスマートベッドコンピュータをそれぞれ含む。患者データは、複数のスマートベッドのそれぞれから直接にアクセスすることができるように、サーバから複数のスマートベッドコンピュータのそれぞれに選択的に転送することができる。サーバおよび／または複数のスマートベッドコンピュータ内に格納されたどんな患者データも、遠隔に位置する１人または複数の看護者が複数の患者を集団的にまたは個々に治療することができるように遠隔からアクセス可能である。
【００１０】
別の実施形態では、スマートベッドシステムは、複数の異なる患者に関する患者データを格納するように構成されたサーバと、患者を収容するようにそれぞれ適合された複数のスマートベッドとを含む。複数のスマートベッドはそれぞれ、サーバに結合されたスマートベッドコンピュータを含む。患者データは、複数のスマートベッドのそれぞれから直接にアクセスすることができるように、サーバから複数のスマートベッドのスマートベッドコンピュータに選択的に転送することができる。スマートベッドシステムは、サーバ、および／または複数のスマートベッドのスマートベッドコンピュータ内に格納されたアルゴリズムをも含む。アルゴリズムは、患者のケアプランを評価し、患者のケアプランへのコンプライアンスを監視するように構成される。サーバおよび／または複数のスマートベッドのスマートベッドコンピュータ内に格納されたどんな患者データも、遠隔に位置する１人または複数の看護者が複数の患者を集団的にまたは個々に治療することができるように遠隔からアクセス可能である。
【００１１】
本発明の様々な他の特徴、目的および利点は、添付の図面およびその詳細な説明から当業者には明らかになろう。
【図面の簡単な説明】
【００１２】
【図１】一実施形態によるスマートベッドシステムの概略図である。
【図２】一実施形態によるアルゴリズムを示すブロック図である。
【図３】一実施形態による複数の入力装置に結合されたスマートベッドを示す概略図である。
【図４】一実施形態による複数の出力装置に結合されたスマートベッドを示す概略図である。
【図５】一実施形態による方法を示すブロック図である。
【発明を実施するための形態】
【００１３】
下記の詳細な説明では、本明細書の一部をなす添付の図面に言及し、図面では、実施され得る特定の実施形態が例示するために示されている。これらの実施形態は、当業者が諸実施形態を実施することができるように十分詳細に述べられており、他の実施形態を使用してもよく、また諸実施形態の範囲から逸脱せずに論理的、機械的、電気的および他の変更を加えてもよいことを理解されたい。したがって、下記の詳細な説明は、本発明の範囲を限定するものと解釈すべきでない。
【００１４】
図１を参照すると、一実施形態によるスマートベッドシステム１０が示されている。スマートベッドシステム１０は、１つまたは複数のスマートベッド１４ａ〜１４ｎに動作可能に接続されたサーバ１２を含む。本発明の目的のため、「サーバ」は、プロセッサおよび記憶媒体を有する遠隔アクセス可能な装置を含むものと定義される。スマートベッドシステム１０は複数のサーバを含んでもよく、概略的に示されたサーバ１２は複数のサーバを表し得ることを理解されたい。
【００１５】
サーバ１２は、たとえば患者を連続的に監視し、患者のニーズに直接対処し、または患者のニーズに対処するように他者に指示し、患者が最適な看護を受けることを保証するために予防措置を講じ、診断の取得またはケアプランの策定のために関連した患者データを個人またはチームに伝えるなどの目的のために、複数の異なるソースからデータを受信し、またはそこに送信する。限定しないやり方で、これらのソースは、スマートベッド１４ａ〜１４ｎ、主治医１６、医療チーム１８、遠隔モニタ２０、および／または緊急警告装置２２を含んでもよい。
【００１６】
各スマートベッド１４ａ〜１４ｎは、患者２４ａ〜２４ｎのうちの１人を保持するようにそれぞれ適合されている。スマートベッド１４ａ〜１４ｎはそれぞれ、従来のやり方でサーバ１２に結合されたコンピュータ２６ａ〜２６ｎを含む。スマートベッド１４ａ〜１４ｎはそれぞれ複数のコンピュータを含んでもよく、概略的に示されたコンピュータ２６ａ〜２６ｎはそれぞれ、複数のコンピュータを表し得ることを理解されたい。看護士などのローカル看護者２８は、患者のニーズを最適に満たすためにサーバ１２にデータを転送し、またはそこからデータを取り出すためにスマートベッドコンピュータ２６ａ〜２６ｎを実装することができる。一実施形態によれば、ローカル看護者２８は、コンピュータ２６ａ〜２６ｎにアクセスするために携帯情報端末（ＰＤＡ：ｐｅｒｓｏｎａｌ  ｄｉｇｉｔａｌ  ａｓｓｉｓｔａｎｔ）３０を実装してもよい。あるいは、ローカル看護者２８は、キーボード、マウス、タッチスクリーンなど、知られているいずれかのやり方でコンピュータ２６ａ〜２６ｎにアクセスすることができる。別の実施形態によれば、下記に詳細に述べられるように、スマートベッド１４ａ〜１４ｎは、データをサーバ１２に自動的に転送し、またはそこからデータを取り出すように構成されてもよい。
【００１７】
主治医１６は、サーバ１２から直接にまたは遠隔でデータを抽出し、サーバ１２に入力してもよい。主治医１６とサーバ１２の間の例示的な対話は、以下を含んでもよい。主治医１６は最初、患者２４ａについての病歴および現在の人口動態統計などの情報をサーバ１２から抽出する。サーバ１２からこの情報を得て評価した後、主治医１６は、患者２４ａを最適に治療するように適合されたケアプラン３２を策定し、サーバ１２にケアプラン３２を入力する。ケアプラン３２は、ローカル看護者２８が主治医のケアプラン３２を実施することができるように、スマートベッド２６ａを介してローカル看護者２８からアクセス可能である。治療の間、主治医１６は、患者の経過を評価し、ケアプラン３２を調整するために、その後に取得された任意の患者データなどの追加の情報を抽出することができる。したがって、スマートベッドシステム１０は、主治医が遠隔位置から複数の患者を解析し治療することを可能にする。
【００１８】
医療チーム１８は、サーバ１２から直接にまたは遠隔からデータを抽出し、サーバ１２にデータを入力することができる。サーバ１２に遠隔からアクセス可能であるので、医療チーム１８は、離れた地理的領域からのメンバを含んでもよい。したがって、患者２４ａ〜２４ｎを評価し治療するために、世界中の専門家を医療チーム１８の一部として事実上まとめることができる。医療チーム１８とサーバ１２の間の例示的な対話は、以下を含んでもよい。医療チーム１８は最初、患者の病歴、初期診断、医療報告書、ケアプラン３２などの情報をサーバ１２から抽出する。その後、医療チームのメンバは、追加のフィードバックを提供するために、サーバ１２からの情報を集団的に評価する。次いで、このフィードバックは、主治医１６によってさらに考慮するためにサーバ１２に入力されてもよく、その結果、ローカル看護者２８は、いずれかの指示を実施することができる。したがって、スマートベッドシステム１０は、遠隔に位置する複数のチームメンバに、患者の診断および／または治療のために患者データの共通の収集物をレビューする機会を提供することによって、チームベースの医療をサポートする。サーバ１２に直接にアクセス可能であるので、スマートベッドシステム１０は、ローカルチームベースの医療をもサポートする。
【００１９】
遠隔モニタ２０は一般に、患者２４ａ〜２４ｎの１人または複数からのデータを観察しまたは監視するためにサーバ１２に遠隔からアクセスする個人または個人のグループである。したがって、遠隔モニタ２０は、患者２４ａ〜２４ｎのための追加の保護層を提供することができる。遠隔モニタ２０が問題のある患者データを観察する場合、遠隔モニタ２０は、さらなる解析またはフォローアップのために主治医１６および／またはローカル看護者２８に警告することができる。遠隔モニタ２０は、問題のある患者データが観察される場合、以下に詳細に述べられる緊急警告装置２２を遠隔でトリガすることもできる。
【００２０】
緊急警告装置２２は、サーバ１２、またはスマートベッド１４ａ〜１４ｎのいずれかから手作業でトリガしてもよいし、または下記に詳細に述べられるアルゴリズム１００によって自動的にトリガしてもよい。緊急警告装置は、医療緊急事態に迅速に対処するために主治医１６、ローカル看護者２８および／または他の任意の職員に警告するように適合されたアラームシステムを含む。緊急警告装置２２は、従来の音声（たとえばサイレンや口頭の警告）および／または視覚的な（たとえば点滅光の）フィードバックでローカルの職員に警告するように構成されてもよく、携帯電話またはページャの呼出しや、テキストメッセージの送信などによって、遠隔に位置する職員に警告するように構成されてもよい。
【００２１】
図２を参照すると、アルゴリズム１００を例示するブロック図が示されている。図２の個々のブロックは、アルゴリズム１００に従って実施され得るステップを表す。一実施形態によれば、アルゴリズム１００は、スマートベッドシステム１０（図１に示される）のサーバ１２（図１に示される）に格納されてもよく、患者２４ａ〜２４ｎ（図１に示される）のための追加の保護の提供、患者２４ａ〜２４ｎに提供されるケアレベルの向上、ならびにさもなければ手作業で実施されるプロセスを自動化することによって労働を最小限に抑えることなどの目的ために一般に連続的に操作され得る。別の実施形態によれば、アルゴリズム１００は、スマートベッドコンピュータ２６ａ〜２６ｎ（図１に示される）のそれぞれに個々に格納されてもよい。
【００２２】
ステップ１０２で、アルゴリズム１００は、患者データを自動的に収集するように構成される。患者データは、サーバ１２（図１に示される）に直接格納されたものから、およびサーバ１２に結合された任意のソースから収集することができる。一例として、アルゴリズム１００は、特定の患者のスマートベッドから心疾患を潜在的に示す人口動態統計（たとえば血圧、心拍数など）を取り出すように実装されてもよい。その後、取り出されたデータは、プロット、グラフ、チャートまたは医療記録など、アルゴリズム１００によって都合のよいやり方で自動的に編纂することができる。次いで、編纂されたデータは、医療報告書の形で任意のローカルまたはリモート看護者に提示可能である。特定の患者のニーズを最適に満たすために、収集されたデータの特定のタイプ、およびそれが提示される形式は選択可能であることを理解されたい。
【００２３】
別の例として、ステップ１０２で、アルゴリズム１００は、たとえば提供されるサービスの一覧およびその関連コスト、患者の入院期間、患者の保険提供元および適用範囲のタイプなどを含み得るすべての課金データを取り出すように実装されてもよい。その後、取り出されたデータは、アルゴリズム１００によって、費用の項目別の一覧を含む１つまたは複数の請求書の形に自動的に編纂することができる。一例として、患者の医療プランが一部負担を含む場合、一部負担の額をカバーする第１の請求書を自動的に作成し、患者に送信することができ、費用の残り部分をカバーする第２の請求書を自動的に作成し、患者の保険提供元に送信することができる。
【００２４】
ステップ１０４で、アルゴリズム１００は、患者データを自動的に解析するように構成される。一例として、アルゴリズム１００は、事前定義された範囲から外れるいずれの患者データをも識別し、またはそれにフラグを立て、フラグが立てられたこうしたデータへの適切な応答を開始するように構成することができる。例示的な応答は、医師または他の病院職員に警告すること、医療チームのケースレビューミーティングをスケジューリングすること、および／または一連の措置を自動的に開始することを含んでもよい。最も適切な応答は、フラグが立てられた特定のタイプのデータ、および／またはフラグ付きデータが、事前定義された範囲から外れている量によって決まり得る。一連の措置を自動的に開始することは、以下に詳細に述べられるように、スマートベッドシステム１０（図１に示される）によって使用可能になる特徴である。特定の患者のニーズを最適に満たすために、解析されるデータの特定のタイプ、およびそれが解析されるやり方は選択可能であることを理解されたい。
【００２５】
ステップ１０４は、自動化されたサービスルーチン１１６を含むこともできる。サービスルーチン１１６は、たとえば、どんなサービスニーズをも前もって満たすことができるように、スマートベッドシステム１０の動作を監視し、どんな障害状態も識別するように構成してもよい。障害状態は選択可能であり、たとえば、スマートベッドシステム１０の電気的、機械的およびソフトウェア機能性に基づいてもよい。一例によれば、サービスルーチン１１６は、「使用中」スマートベッドの動作時間数を記録し、記録された情報（記録されたどんな障害事象をも含む）を解析および障害判断のためのサービスプロバイダシステムに転送することができる。自動サービスルーチン１１６は、スマートベッドシステム１０に対して実施された保守を記録し、日常保守が必要なときを看護者またはサービスプロバイダに示し、追加の患者の受入れを防ぐため、修理を要するいずれのスマートベッドについても「使用停止」を示すこともできる。修理を要するスマートベッドを患者が占有する場合、自動サービスルーチン１１６は、元のスマートベッドが修理される間、患者が看護され得るように、新しいスマートベッドを患者に割り当ててもよい。
【００２６】
手順１０６で、アルゴリズム１００は、患者２４ａ〜２４ｎ（図１に示される）への追加の保護層を提供するために、患者ケアプラン３２（図１に示される）を評価するように構成される。アルゴリズム１００は、たとえば、患者が処方されたいずれも薬にもアレルギーがなく、または過度に敏感でないことを確認するために、ケアプラン３２を患者の病歴と比較するように適合されてもよい。一実施形態によれば、アルゴリズム１００は、薬物相互作用情報１１０を含むデータベースにアクセスしてもよい。アルゴリズム１００は、患者が潜在的に有害な薬物組合せの処方および／または投与を受けないことを保証するために、薬物相互作用情報１１０をケアプラン３２と比較することができる。別の実施形態によれば、アルゴリズム１００は、たとえば患者の性別、体重、年齢などに基づいて様々な異なる薬物の投与量範囲を提供する推奨投与量テーブル１１２にアクセスしてもよい。アルゴリズム１００は、過剰投与を防ぐために、ケアプラン３２を推奨投与量テーブル１１２と比較してもよい。薬物相互作用情報１１０および推奨投与量テーブル１１２は、サーバ１２（図１に示される）、またはサーバ１２によってアクセス可能な任意のステムに直接に格納されてもよい。ケアプラン３２に関するいずれかの潜在的な問題が識別される場合、アルゴリズム１００は、ステップ１０４に関して上記に述べられた応答を含めて、こうした問題への適切な応答を開始することができる。
【００２７】
手順１０８で、アルゴリズム１００は、ケアプラン３２（図１に示される）のコンプライアンスを監視するように構成される。一例として、ケアプラン３２によって指定された任意の活動の実施、およびこうした活動が実施された時間は、コンプライアンス記録１１４の形で手作業で、または自動的に保存することができる。次いで、アルゴリズム１００は、ケアプラン３２が適切に実行されることを保証するために、ケアプラン３２をコンプライアンス記録１１４と比較することができる。ケアプラン３２からの逸脱が識別される場合、アルゴリズム１００は、逸脱のどんな影響をも最小限に抑え、また将来の逸脱を防ぐために、適切なやり方でこうした情報を伝えることができる。
【００２８】
複数の例示的な実施形態に従ってスマートベッドシステム１０（図１に示される）について述べたが、次にスマートベッド１４ａ（図１に示される）についてより詳細に述べられる。以下の節では例示するためにスマートベッド１４ａについて述べられており、他のスマートベッド１４ｂ〜１４ｎ（図１に示される）も同様に構成され得ることを理解されたい。代替実施形態によれば、スマートベッド１４ａ〜１４ｎは、たとえば特に熱傷の治療、心臓病リハビリテーションまたは集中治療に特別に適合された１つまたは複数のスマートベッドなど、専門の看護を提供するように個々に構成されてもよい。
【００２９】
図３に示されるように、スマートベッドコンピュータ２６ａは、サーバ１２および複数の異なる入力装置に結合されてもよい。入力装置は、たとえば、無線通信装置（たとえば無線周波数識別（ＲＦＩＤ：ｒａｄｉｏ  ｆｒｅｑｕｅｎｃｙ  ｉｄｅｎｔｉｆｉｃａｔｉｏｎ）アンテナ４０）と、複数のセンサ４２と、仮想キーボード４６を有するタッチスクリーン４４と、１つまたは複数の監視装置（たとえば患者監視装置６１およびベッド監視装置６３）とを含んでもよい。この開示の目的のために、用語「監視」は、限定しないやり方で、記録、観察、評価、識別などの行為を含むものと定義され得る。
【００３０】
ＲＦＩＤアンテナ４０、センサ４２ａのうちのいずれか、および／またはタッチスクリーン４４は、入力装置と出力装置の両方（すなわち入出力装置）を動作させるように構成されてもよいが、しかし、それらは、この開示の目的のために入力装置として述べられている。タッチスクリーン４４は、任意選択であり、別法としてキーボード、マウス、タッチパッド、ジョイスティック、リモコン装置（無線または有線）、トラックボール、Ｍａｒｑｕｅｔｔｅトリム用ノブなど、知られている他の入力装置を含んでもよい。一実施形態によれば、スマートベッドコンピュータ２６ａは、サーバ１２に無線で結合され、ＲＦＩＤアンテナ４０は、スマートベッドの動きを制限する外部ケーブルの数を最小限に抑えるために、スマートベッド１４ａに直接に取り付けられる。
【００３１】
無線通信装置は、下記ではＲＦＩＤアンテナ４０として述べられているが、しかし、たとえばバーコードリーダなど他の無線通信装置を想定することもできる。ＲＦＩＤアンテナ４０は、リストバンドを用いてなど、従来のやり方で患者２４ａに取り付けられたＲＦＩＤ装置５０から入力を受信してもよい。入院の間、患者のＲＦＩＤ装置５０は、患者の識別情報（たとえば性別、年齢、身長、体重）、医療情報（たとえば病歴、アレルギー、食事制限）、課金情報（たとえば保険業者）などを含めて幅広い情報を含むようにプログラムすることができる。その後、治療の間に収集された追加の患者情報を、ＲＦＩＤ装置５０に追加することができる。ＲＦＩＤ装置５０がＲＦＩＤアンテナ４０に十分に隣接している場合、ＲＦＩＤ装置５０内にプログラムされた任意の情報をスマートベッドコンピュータ２６ａにダウンロードし、サーバ１２に転送することができる。ＲＦＩＤ装置５０は、下記に詳細に示されるように、暗号化装置８６を含むこともできる。
【００３２】
ＲＦＩＤアンテナ４０は、ローカル看護者２８または他の病院職員に取り付けられたＲＦＩＤ装置５２から、また薬物５８を含むＩＶバッグまたはボトルなどの物体に取り付けられた１つまたは複数のＲＦＩＤ装置５６から入力を受信することもできる。ローカル看護者２８に取り付けられたＲＦＩＤ装置５２は、たとえば、ローカル看護者の身元および職業を含むようにプログラムされ得る。したがって、ＲＦＩＤ装置５２を着用しているローカル看護者２８がＲＦＩＤアンテナ４０の十分近くに入るときはいつでも、ローカル看護者の身元および時間がコンピュータ２６ａによって自動的に記録され、サーバ１２に転送され得る。ローカル看護者２８は、ＰＤＡ  ３０、タッチスクリーン４４、専用のリモート制御装置（図示せず）または他の任意の入力装置によってスマートベッドコンピュータ２６ａに直接に追加の情報を手作業で入力することもできる。この追加情報は、訪問の目的、任意の発見物、施された任意の手順などを含んでもよい。
【００３３】
薬物５８を含むＩＶバッグまたはボトルなどの物体に取り付けられたＲＦＩＤ装置５６は、たとえば薬物のタイプおよび量を含むようにプログラムされ得る。したがって、薬物５８が患者２４ａに投与され、ＲＦＩＤ装置５６がＲＦＩＤアンテナ４０に十分近い場合、投与された薬物のタイプおよび量、ならびにそれが投与された時間などの情報が、コンピュータ２６ａによって自動的に計算され記録され、サーバ１２に転送され得る。ＲＦＩＤ装置５６は再プログラム可能なので、たとえば、薬物５８の所定の部分が投与された後、ＲＦＩＤ装置５６は、ＩＶバッグまたはボトル内の薬物５８の残りの量を反映するように再プログラムすることができる。薬物５８の残りの量もまた、正確なカウントを維持することができ、したがって追加の供給を適宜指示することができるように施設の主材料管理スケジューラ（ｍａｓｔｅｒ  ｍａｔｅｒｉａｌｓ  ｍａｎａｇｅｍｅｎｔ  ｓｃｈｅｄｕｌｅｒ）に提供され得る。
【００３４】
他のスマートベッド１４ｂ〜１４ｎ（図１に示される）に関連する他のＲＦＩＤアンテナ（図示せず）は、所与の患者のＲＦＩＤ装置から入力を受信することもできる。したがって、スマートベッドシステム１０（図１に示される）は、患者位置特定／追跡装置として実装されてもよい。より正確には、病院職員は、スマートベッド１４ａ〜１４ｎのうちのどれが、位置を特定すべき患者のＲＦＩＤ装置からの信号を受信しているか判断するためにサーバ１２にアクセスすることができる。病院は、その患者をより徹底的に位置特定し追跡するための追加のＲＦＩＤアンテナ（図示せず）を含むこともできる。
【００３５】
複数のセンサ４２は、患者に直接取り付けられた第１のセンサ群（患者センサ）６０ａ〜６０ｎと、スマートベッドに取り付けられた第２のセンサ群（ベッドセンサ）６２ａ〜６２ｎとを含む。患者センサ６０ａ〜６０ｎは、観血式のやり方で患者に取り付けられたセンサと、非観血式のやり方で患者に取り付けられたセンサの両方を含んでもよい。この開示の目的のために、「ベッドセンサ」は、内側に配置された、または毛布、シーツおよび枕に取り付けられたセンサを含むものと定義される。
【００３６】
限定しないやり方で、患者センサ６０ａ〜６０ｎは、患者の動き、体重、体温、血圧、血液グルコースレベル、脈拍、心拍数などを測定するように適合された装置を含んでもよい。有利には、患者センサ６０ａ〜６０ｎを組み込むと、患者２４ａを一般に連続的に監視することが可能となる。センサデータは、コンピュータ２６ａによって記録し、サーバ１２に転送することができる。一実施形態によれば、センサデータは、ステップ１０４（図２に示される）に関して述べられるように、自動解析のためのアルゴリズム１００（図２に示される）によって実装することができる。
【００３７】
患者センサ６０ａ〜６０ｎは、好ましくはスマートベッド１４ａに取り付けられた、または組み込まれた患者監視装置６１に結合されてもよい。一例として、心拍数および脈拍を測定するために、心電図（ＥＣＧ：ｅｌｅｃｔｒｏｃａｒｄｉｏｇｒａｍ）装置（図示せず）をスマートベッド１４ａに組み込み、１つまたは複数の患者センサ６０ａ〜６０ｎに結合することができる。患者監視装置６１をスマートベッド１４ａに直接取り付け、または監視装置６１をスマートベッド１４ａに組み込むことによって、スマートベッド１４ａは、ベッドの動きを制限する外部ワイヤが減少するように設計することができる。したがって、患者２４ａは、ベッドにいるままで制約なしに都合よく移送されることができ、患者２４ａは、こうした移送の間も連続的に監視され得る。概略的に示された患者監視装置６１は、複数の患者監視装置を表し得ることを理解されたい。限定しないやり方で、患者監視装置６１は、上記に言及されたＥＣＧ装置、血圧監視装置、体温監視装置、パルスオキシメータ装置、筋電図（ＥＭＧ：ｅｌｅｃｔｒｏｍｙｏｇｒａｍ）装置、脳波（ＥＥＧ：ｅｌｅｃｔｒｏｅｎｃｅｐｈａｌｏｇｒａｍ）装置などの装置を含んでもよい。
【００３８】
一実施形態によれば、１つまたは複数の患者監視装置６１は、カートリッジ型の取付けなどによって、取外しできるようにスマートベッド１４ａに取付け可能であり得る。したがって、スマートベッド１４ａは、特定の患者に必要な監視装置６１だけを含むように設定することができる。患者２４ａがスマートベッド１４ａから起きることを選ぶ場合、監視装置６１は、取り外し、たとえば移動スタンドやラックに載せて患者と一緒に運ぶことができる。このように、患者２４ａは、ワイヤによってそれほど制限されず、また患者２４ａは、連続的に監視される間、歩き回ることができる。
【００３９】
限定しないやり方で、ベッドセンサ６２ａ〜６２ｎは、１つまたは複数の圧力センサおよび／または質量センサを含んでもよい。圧力センサは、スマートベッド１４ａ内の患者２４ａの存在を識別し、スマートベッド１４ａから出入りする患者の動きを監視し、スマートベッド１４ａ内の患者の動きを監視するために使用してもよい。一例として、圧力センサは、患者があまりにも動かないことを示す場合、血栓症を防ぐために予防措置を実施することが必要になることがある。患者の体重の増減を監視するために、質量センサが実装されてもよい。患者の体重の減少または増加は、腎臓機能を評価するために、たとえば輸液投与および排泄物データと組み合わせて使用されてもよい。
【００４０】
別の実施形態によれば、ベッドセンサ６２ａ〜６２ｎは、スマートベッド１４ａと接触する体液の存在を識別するように適合されたコンダクタンスセンサアレイを含んでもよい。こうした液体の識別について、従来のやり方で適切な病院職員に伝えることができる。塩分を測定するように適合されたセンサを使用すると、スマートベッドシステム１０は、血と尿を区別することができる。スマートベッドシステム１０は、血と尿を識別する別の技術として患者２４ａに対する体液の位置を識別することもできる。たとえば、体液が患者の鼠径部の近くにある場合、体液は、尿を含むと見なされ得る。同様に、記録された傷の近くに体液がある場合、体液は、血を含むと見なされ得る。この情報は、出血および感染滲出（ｉｎｆｅｃｔｉｏｎ  ｗｅｅｐａｇｅ）の早期発見を可能にすることができ、無意識の患者にとって特に有用である。
【００４１】
ベッドセンサ６２ａ〜６２ｎは、好ましくはスマートベッド１４ａに取り付けられた、または組み込まれたベッド監視装置６３に結合されてもよい。ベッド監視装置６３をスマートベッド１４ａに直接取り付けることによって、または監視装置６３をスマートベッド１４ａに組み込むことによって、スマートベッド１４ａは、ベッドの動きを制限する外部ワイヤが減少するように設計され得る。したがって、患者２４ａは、ベッドにいるままで制約なしに都合よく移送されることができ、スマートベッド１４ａは、こうした移送の間も連続的に監視され得る。概略的に示されたベッド監視装置６３は、複数のベッド監視装置を表し得ることを理解されたい。限定しないやり方で、ベッド監視装置６３は、圧力、質量、温度、液体の存在などを監視するように適合された装置を含んでもよい。一実施形態によれば、１つまたは複数のベッド監視装置６３は、患者監視装置６１に関して上述されたやり方と同じように、たとえばカートリッジ型の取付けを用いて、取外しできるようにスマートベッド１４ａに取付け可能であり得る。
【００４２】
図４を参照すると、スマートベッド１４ａは、電力ケーブル６６を介して電気コンセント（図示せず）などの外部電源６４によって電力供給を受けることができる。一実施形態によれば、スマートベッド１４ａは、外部電源６４からのエネルギーを蓄積するように適合された充電式電池などのエネルギー蓄積装置６８を含んでいる。有利には、この実施形態によって、スマートベッド１４ａは、電力ケーブル６６からの制約を受けずに完全に動作可能となるように、外部電源６４からプラグ接続されず、蓄積装置６８から電力供給を受けることができる。
【００４３】
スマートベッド１４ａは、患者２４ａを看護するプロセスを少なくとも部分的に自動化し、患者２４ａと病院職員の両方にとって都合よく働くように構成された複数の出力装置７０を含むことができる。本発明の目的のために、語句「患者の看護」は、限定しないやり方で、患者を治療し、患者を援助し、患者の任意のニーズまたは好みを満たし、患者を楽にするなどの行為を含むものと定義される。出力装置７０は、たとえば（任意のシーツ、毛布、枕などを含めて）スマートベッド１４ａ内に置かれ、スマートベッド１４ａに取り付けられ、またはスマートベッド１４ａの一部として一体的に形成されてもよい。限定しないやり方で、出力装置７０は、ディスプレイ７２、スピーカ７４、アクチュエータ７６、熱変換器７８、ポンプ８０、バルブ８２などを含むことができる。一実施形態によれば、（図１に示された）緊急警告２２は、出力装置７０のうちの１つとしてそれも含まれるようにスマートベッド１４ａに組み込まれてもよい。別の実施形態によれば、出力装置７０は、ライト（図示せず）を含んでもよく、このライトは、患者に都合よく働くように操作することも、休息の助けとなる環境を作るためにオフにすることもできる。
【００４４】
ディスプレイ７２は、入出力装置になるようにタッチスクリーン４４（図３に示される）を任意選択で組み込んでもよいが、しかし、この開示の目的のために、ディスプレイ７２は、出力装置として述べられている。アクチュエータ７６は、スマートベッド１４ａの位置を選択的に調整し制御するように適合された電気または油圧サーボなど、知られている装置を含んでもよい。たとえば、アクチュエータ７６は、ベッド全体、ベッドの頭側、および／またはベッドの脚側を上げ下げしてもよい。熱変換器７８は、体温を選択的に上昇または低下させるために、（任意の毛布、シート、枕などを含めて）スマートベッド１４ａ内に配置されてもよい。ポンプ８０は、電動ＩＶ装置を操作するためなど、液体またはガスを送るために使用されてもよい。バルブ８２は、ＩＶシステム、酸素供給システムおよび麻酔システムなどの装置の流量を調節するために操作されてもよい。
【００４５】
一実施形態によれば、スマートベッドシステム１０は、個人のやり方でスマートベッド１４ａを自動的に調整することによって、患者２４ａに都合よく働くように構成されてもよい。一例として、患者の低身長または相対的な弱さに関する情報が、患者のＲＦＩＤ装置５０（図３に示される）にプログラムされてもよいし、スマートベッドコンピュータ２６ａに直接入力されてもよい。この情報は、さもなければスマートベッド１４ａに入り、またはそこから出るのに苦労するかもしれない患者を補助するために使用することができる。より正確には、患者２４ａがスマートベッド１４ａに接近するとき、スマートベッドのＲＦＩＤアンテナ４０（図３に示される）は、患者のＲＦＩＤ装置５０を感知することができる。その後、スマートベッド１４ａは、スマートベッド１４ａを自動的に下げ、それによって入り易くするために、アクチュエータ７６のうちの１つまたは複数に電力を送ることができる。（たとえばスマートベッド内の圧力センサからのフィードバックによって示されるように）患者２４ａがベッドにいることが表示されると、スマートベッド１４ａは、所定レベルまで自動的に上昇することができる。患者２４ａは、スマートベッド１４ａを下げて、スマートベッド１４ａから出易くするために、タッチスクリーン４４（図３に示される）によってコマンドを入力することができる。
【００４６】
別の実施形態によれば、スマートベッド１４ａは、ローカル看護者２８（図３に示される）または他の病院職員に都合よく働くように適合されたやり方で自動調整するように構成され得る。たとえば、所与の職員の物理的特徴、制限事項および／または好みに関する情報が、各職員のＲＦＩＤ装置にプログラムされてもよいし、スマートベッド１４ａに直接入力されてもよい。その後、スマートベッド１４ａは、各職員について人間工学的に最適なやり方で自動調整することができる。スマートベッド１４ａは、たとえば指定された手順の実施を容易にするように適合されたやり方で自動調整するように構成することもできる。スマートベッド１４ａは、ローカル看護者２８（図３に示される）または他の病院職員にさらに都合よく働くように適合されたシート８４を含むこともできる。シート８４は、従来のやり方でスマートベッド１４ａに取り付けてもよいし、スマートベッド１４ａの設計に一体的に組み込んでもよい。シート８４は、上／下の方向、入／出の方向に調整可能であり、また看護者が患者２４ａの世話をする間、人間工学的に最適なやり方で座ったままでいることができるように、スマートベッド１４ａの周辺で変形可能とすることもできる。一実施形態によれば、シート８４は、使用時、スマートベッド１４ａから広げることができ、さもなければスマートベッド１４ａの中または下に納められる。
【００４７】
別の実施形態によれば、スマートベッド１４ａは、患者２４ａを看護するために熱変換器７８を実装するように構成されてもよい。一例として、患者２４ａが発熱している場合は、主治医１６（図１に示される）は、患者２４ａが低温環境に置かれるべきことをケアプラン３２（図１に示される）内に指定してもよい。スマートベッドシステム１０は、スマートベッド１４ａ内に低温環境を作るために、こうしたコマンドに応答して熱変換器７８を制御することができる。反対に、患者が低体温症にかかっている場合は、スマートベッドシステム１０は、スマートベッド１４ａの温度を上げることができる。患者の体温が過度に高いまたは低いことを示すセンサ４２（図３に示される）からのデータを使用して、熱変換器７８をトリガし、それによって自動的に患者２４ａを楽にし、または看護することもできる。
【００４８】
別の実施形態によれば、スマートベッド１４ａは、患者２４ａを看護し、保護するために、ポンプ８０および／またはバルブ８２を実装するように構成されてもよい。一例として、ポンプ８０および／またはバルブ８２は、ケアプラン３２（図１に示される）からの命令に従って所定の速度で静脈内輸液を送るように自動的に操作されてもよい。別の例として、スマートベッドコンピュータ２６ａが、患者２４ａがケアプラン３２（図１に示す）または患者の病歴（たとえばアレルギー）に合わないＩＶ投薬を受けることになるという表示を（たとえばＲＦＩＤアンテナ４０から）受信する場合、スマートベッド１４ａは、合わない薬品の投薬を防ぐためにＩＶシステムを駆動するポンプ８０を停止することができる。したがって、スマートベッドシステム１０は、患者２４ａを保護するために、自動的に予防措置を開始することができる。
【００４９】
別の実施形態によれば、スマートベッド１４ａは、患者２４ａを楽しませ、看護するために、ディスプレイ７２およびスピーカ７４を実装するように構成されてもよい。一例として、患者２４ａが直接要求してもよく、またはケアプラン３２（図１に示される）が、患者を楽しませ、または刺激するためにスマートベッドディスプレイ７２およびスピーカ７４の操作を指示してもよい。限定しないやり方で、ディスプレイ７２およびスピーカ７４は、テレビ、映画、音楽、インターネットアクセス、ビデオゲームなど、視覚および／または音声による刺激を提供してもよい。別の例として、ケアプラン３２が患者２４ａが休息すべきであることを示す場合、スピーカ７４は、休息または睡眠の助けになる静かな環境を提供するための雑音除去技術を組み込込むことができる。雑音除去技術は、他の潜在的に騒々しい患者と単一の部屋を共有する患者には特に有用であり得る。
【００５０】
別の実施形態によれば、スマートベッド１４ａは、患者２４ａを看護するプロセスを容易にするために、出力装置７０のうちの１つまたは複数に動作可能に接続された１つまたは複数の患者ケア装置を含んでもよい。限定しないやり方で、患者ケア装置は、ＩＶ装置９０、人工呼吸器９２、酸素供給装置９４、または患者を看護するように適合された、知られている他の任意の装置を含んでもよい。例示的な一実施形態によれば、ＩＶ装置９０と人工呼吸器９２の両方は、ポンプ８０のうちの１つ、およびバルブ８２のうちの１つに動作可能に接続される。このように、ポンプ８０は、ＩＶ装置９０および人工呼吸器９２に動力を供給することができ、バルブ８２は、移動速度（ｔｒａｎｓｆｅｒ  ｒａｔｅ）を制御することができる。酸素供給装置９４は、酸素が患者２４ａに供給される速度を制御するために実装され得るバルブ８２に動作可能に接続されてもよい。ベッドの動きを制限する外部制約（たとえばホースやチューブ）が減少するように、ＩＶ装置９０、人工呼吸器９２および酸素供給装置９４を含む任意の患者ケア装置が好ましくはスマートベッド１４ａに取り付けられ、または組み込まれる。したがって、患者２４ａは、ベッドにいるままで制約なしに都合よく移送されることができ、患者２４ａは、こうした移送の間も連続的に看護され得る。
【００５１】
図５を参照すると、スマートベッドシステム１０（図１に示される）を実装するための方法２００を例示するブロック図が示されている。図５の個々のブロックは、方法２００に従って実施され得るステップを表す。
【００５２】
ステップ２０２で、方法２００は、スマートベッド１４ａ（図１に示される）内の患者２４ａ（図１に示される）の存在を確認する。この確認は、ＲＦＩＤ装置５０（図３に示される）からのデータ、またはセンサ４２（図３に示される）からのフィードバックに基づいてもよい。患者の存在を確認するためにＲＦＩＤ装置５０が実装される実施形態では、ＲＦＩＤアンテナ４０（図３に示される）が２つ以上のＲＦＩＤ装置５０から入力を受信できるほど、２人以上の患者２４ａ〜２４ｎ（図１に示される）が単一のスマートベッド１４ａの近くにいる状況があり得る。スマートベッド１４ａは、いくつかのやり方のうちの１つでこの状況に対処するようにプログラムすることができる。第１の実施形態によれば、スマートベッド１４ａは、第１の受信ＲＦＩＤ装置からの入力だけを認識し、その後に受信された受信ＲＦＩＤ装置からのどんな入力をも無視するように構成される。第２の実施形態によれば、スマートベッド１４ａは、事前に選択された患者のＲＦＩＤ装置だけを認識し、他のいずれのＲＦＩＤ装置をも無視するように構成される。第３の実施形態によれば、スマートベッド１４ａは、所定の位置（たとえばスマ−トベッド１４ａの中心）に最も近いＲＦＩＤ装置だけを認識し、他のいずれのＲＦＩＤ装置をも無視するように構成される。第３の実施形態は、スマートベッド１４ａの占有者と、スマートベッド１４ａの占有者の前を通り過ぎ、またはそれを訪問し得る別の患者とを区別するように特にうまく適合される。
【００５３】
ステップ２０４で、方法２００は、患者２４ａ（図１に示される）の身元を確認する。スマートベッドシステム１０は、患者２４ａが適切に識別されることを保証する下記の例示的な方法のうちの１つまたは複数を実施することができる。患者２４ａを識別する第１の例示的な方法は、患者のＲＦＩＤ装置５０（図３に示される）から、事前に記録された識別をダウンロードすることを含む。患者２４ａを識別する第２の例示的な方法は、識別された患者のデジタル写真画像をディスプレイ７２（図４に示される）に表示することを含む。次いで、特定の患者の世話をするいずれの病院職員も、識別が正確であることを保証するためにデジタル画像を実際の患者と比較することができる。患者２４ａを識別する助けとするために、たとえば指紋、網膜走査、音声認識など、知られている他の識別技術をスマートベッド１４ａ（図１に示される）に組み込むこともできる。患者はあるスマートベッドから別のベッドに容易に移動することができるので、ステップ２０４は、患者がどのスマートベッドを占有しているかに関係なく患者とデータを適切に相関させることを保証するように適合された重要な予防措置である。
【００５４】
一実施形態によれば、所与の患者が、別の個人を受け入れるために設定されたスマートベッドにいると判断される場合、スマートベッドは、最初にサービスを否定するように構成されてもよい。その後、病院職員は、患者が誰であり、どこにいるべきか判断するように警告される。このように、患者が別の個人のケアプランに従って潜在的に治療を受けることを防止する。
【００５５】
別の実施形態によれば、ステップ２０４で患者２４ａ（図１に示される）の身元が確認された後、ディスプレイ７２（図４に示される）は、関連のある任意の患者データを示すように構成されてもよい。「関連のある患者データ」は、たとえば、患者の経過を評価し、または適切な一連の措置を決定する際に有用な任意の患者データを含み得る。患者データは好ましくは、主治医１６（図１に示される）またはローカル看護者２８（図３に示される）などの看護者が、患者２４ａを治療するのに十分近くにいる場合にだけ示される。このように、看護者は、患者２４ａを看護するのに必要な患者データにアクセスすることができ、その後、データは、患者の機密性を保護するためにディスプレイ７２から削除される。
【００５６】
ステップ２０６で、方法２００は、たとえば患者のケアプラン３２（図１に示される）、病歴、医療報告書、チャート、患者の好みなど、患者データをスマートベッド１４ａ（図１に示される）に転送する。一実施形態によれば、予防措置として、すべての患者データは、サーバ１２（図１に示される）内に暗号化された形で格納される。暗号化された患者データは、患者のＲＦＩＤ装置５０（図３に示される）の一部として含まれ得る対応する暗号鍵８６（図３に示される）を用いてだけ読み取ることができる。したがって、他の患者の患者データは、患者１４ａが誤ったケアプランに従って潜在的に治療を受けることがないように、スマートベッド１４ａによって読み取ることはできない。
【００５７】
ステップ２０８で、スマートベッド１４ａ（図１に示される）は、ステップ２０６でダウンロードされたケアプラン３２（図１に示される）を実施する。ケアプラン３２の実施は、たとえば、患者１４ａを（たとえばセンサ４２（図３に示される）を用いて）監視すること、センサ４２からデータを収集すること、収集されたデータを送信すること、（たとえば出力装置７０（図４に示される）を用いて）患者１４ａを看護することなどを含んでもよい。ステップ２１０で、スマートベッド１４ａは、ステップ２０６でダウンロードされた任意の患者好みを実施する。任意の患者好みを実施することは、たとえば好ましいやり方でベッド位置および／または体温を調節すること、ディスプレイ７２および／またはスピーカ７４（図４に示される）によって好ましい娯楽媒体を提供することなどを含んでもよい。
【００５８】
本発明について好ましい実施形態に関して述べられているが、本発明の精神から逸脱せずに特定の置換、変更および削除を諸実施形態に行ってもよいことが当業者には理解されよう。したがって、上記説明は例示するためのものにすぎず、また以下の特許請求の範囲に述べられた本発明の範囲を制限するものでない。
【符号の説明】
【００５９】
１０  スマートベッドシステム
１２  サーバ
１４ａ  スマートベッド
１４ｎ  スマートベッド
１６  主治医
１８  医療チーム
２０  遠隔モニタ
２２  緊急警告装置
２４ａ  患者
２４ｎ  患者
２６ａ  コンピュータ
２６ｎ  コンピュータ
２８  ローカル看護者
３０  携帯情報端末
３２  ケアプラン
４０  ＲＦＩＤアンテナ
４２  センサ
４２ａ  センサ
４４  タッチスクリーン
４６  仮想キーボード
５０  ＲＦＩＤ装置
５２  ＲＦＩＤ装置
５６  ＲＦＩＤ装置
５８  投薬
６０ａ  患者センサ
６０ｎ  患者センサ
６１  患者監視装置
６２ａ  ベッドセンサ
６２ｎ  ベッドセンサ
６３  ベッド監視装置
６４  電源
６６  電力ケーブル
６８  エネルギー蓄積装置
７０  出力装置
７２  ディスプレイ
７４  スピーカ
７６  アクチュエータ
【図１】
2010510832.tif 000003
【図２】
2010510832.tif 000004
【図３】
2010510832.tif 000005
【図４】
2010510832.tif 000006
【図５】
2010510832.tif 000007
【国際調査報告】
2010510832.tif 000008
2010510832.tif 000009